(57)【要約】【課題】  迅速に切手を取り出して封筒に簡便に貼付しうる切手貼り具を提供する。【解決手段】  複数枚の切手を保持しうる切手収納部を有すると共に、上記切手収納部から切手を一枚づつ送り出しうる切手送出部を有して、切手を封筒の切手貼付位置に供給配置しうるケース部材と、切手の裏面を湿らせるための湿し部材とが一体に備えられ、上記ケース部材は掌で把持しうる細長板状に形成され、上記切手収納部は上方が開放され手の親指を差し込み可能な幅の溝状に形成され、上記切手送出部として上記ケース部材の前側端面部に開口部が設けられている。上記湿し部材には水分補給部材が付設されている。【選択図】  図６
0003123407.tif 000002
【実用新案登録請求の範囲】
【請求項１】
複数枚の切手を保持しうる切手収納部を有すると共に、上記切手収納部から切手を一枚づつ送り出しうる切手送出部を有して、切手を封筒の切手貼付位置に供給配置しうるケース部材と、切手の裏面を湿らせるための湿し部材とが一体に備えられ、
上記ケース部材は掌で把持しうる細長板状に形成され、上記切手収納部は上方が開放され手の親指を差し込み可能な幅の溝状に形成され、上記切手送出部として上記ケース部材の前側端面部に開口部が設けられていることを特徴とする切手貼り具。
【請求項２】
上記湿し部材には水分補給部材が付設されていることを特徴とする請求項１記載の切手貼り具。
【請求項３】
上記切手送出部には一連の切手を一枚毎に分断しうる切断部材が配置されていることを特徴とする請求項１〜２のいずれかに記載された切手貼り具。
【請求項４】
上記湿し部材はスポンジ状素材により薄板状に形成され、上記ケース部材の開口部が設けられた一端近傍の底面部に配置されていることを特徴とする請求項１〜３のいずれかに記載された切手貼り具。
【請求項５】
上記水分補給部材としてスポイトが用いられ、上記スポイトのノズル部が上記湿し部材の内部に差し込まれ、上記スポイトの加圧操作部が上記湿し部材の後方に露出配置されていることを特徴とする請求項２〜４のいずれかに記載された切手貼り具。
【請求項６】
上記ケース部材の裏面側には、上記スポイトを押圧して内部の水を排出して湿し部材に水を供給しうるレバー形状の押さえ部材が回動可能に固定されていることを特徴とする請求項５記載の切手貼り具。
【考案の詳細な説明】
【技術分野】
【０００１】
本考案は切手貼り具、特に、切手を迅速、簡便に封筒に貼付することができる切手貼り具に関する。
【背景技術】
【０００２】
一般的に、郵便局等から切手を多数枚購入した場合は、切手収納箱に保管して、使用する度に切手収納箱から一枚づつ取り出すことが多い。したがって、複数枚の切手を連続して封筒に貼付する場合に、切手を準備するのが煩雑であった。
【０００３】
また、切手を封筒に貼る場合は、切手の裏面が乾燥していて粘着性が失われていることが多いので、切手の裏面を湿らせて粘着性を回復させる必要があることから、切手の裏面を湿らせるための湿し具が必要である。
この湿し具は上記切手収納箱とは別個に形成されており、切手収納箱とは異なる場所に保管されていることが多いことから、紛失しやすく、使用する度に探す必要があって煩雑であった。
また、切手を貼る度に切手の裏面を湿し具に接触させなければならず、この作業も煩雑であった。
また、上記湿し具には常に水を補給しておく必要があるが、水を補給し忘れて乾燥している場合も多く、切手を貼る場合に水を補給しなければならず煩雑であった。
したがって、切手を貼付する作業に手間取るという不具合がある。
【０００４】
本出願人は上記不具合を解消しうる切手貼り具について先行技術を調査したが、関連する先行技術文献を発見することはできなかった。
【考案の開示】
【考案が解決しようとする課題】
【０００５】
そこで本考案の課題は、迅速に切手を取り出して封筒に簡便に貼付しうる切手貼り具を提供することにある。
【課題を解決するための手段】
【０００６】
上記課題を解決するために、請求項１記載の本考案に係る切手貼り具は、複数枚の切手を保持しうる切手収納部を有すると共に、上記切手収納部から切手を一枚づつ送り出しうる切手送出部を有して、切手を封筒の切手貼付位置に供給配置しうるケース部材と、切手の裏面を湿らせるための湿し部材とが一体に備えられ、上記ケース部材は掌で把持しうる細長板状に形成され、上記切手収納部は上方が開放され手の親指を差し込み可能な幅の溝状に形成され、上記切手送出部として上記ケース部材の前側端面部に開口部が設けられていることを特徴とする。
即ち、本考案に係る切手貼り具は、上記ケース部材が切手収納部を有することにより切手を保管するケースの役割を果たしている。
また、上記切手収納部には親指を差し込んで切手を押し出すことにより、上記切手送出部として設けられた上記開口部から切手を吐き出すことができる。
そして、取り出した切手は、上記湿し部材により裏面を濡らしてそのまま封筒に貼着することができる。
また、上記ケース部材は掌で把持した状態で使用することができる。
【０００７】
また、請求項２記載の本考案に係る切手貼り具は、上記湿し部材には水分補給部材が付設されていることを特徴とする。
即ち、本考案に係る切手貼り具は、上記のように湿し部材を備えているが、上記湿し部材は常に水を含浸した状態にしておく必要があるため、水分補給部材が上記湿し部材に付設されたものである。
【０００８】
また、請求項３記載の本考案に係る切手貼り具は、上記切手送出部には一連の切手を一枚毎に分断しうる切断部材が配置されていることを特徴とする。
即ち、本考案に係る切手貼り具は、上記切手収納部に複数枚の切手が一連になったものを収納可能としているが、これを実際に封筒に貼る際には、上記一連の切手を一枚毎に分断する必要があり、その分断作業を手で行うのは煩雑であるため、上記切断部材により切手を容易に分断しうるようにしたものである。
【０００９】
また、請求項４記載の本考案に係る切手貼り具は、上記湿し部材はスポンジ状素材により薄板状に形成され、上記ケース部材の開口部が設けられた一端近傍の底面部に配置されていることを特徴とする。
即ち、本考案に係る切手貼り具にあっては、上記湿し部材は、吸水性に優れたスポンジ状素材により形成されている。
また、上記開口部から吐き出した切手を封筒に貼る際に、封筒の所定位置を濡らし易いように、上記湿し部材は上記ケース部材の開口部が設けられた一端近傍の裏面部に配置されている。
【００１０】
また、請求項５記載の本考案に係る切手貼り具は、上記水分補給部材としてスポイトが用いられ、上記スポイトのノズル部が上記湿し部材の内部に差し込まれ、上記スポイトの加圧操作部が上記湿し部材の後方に露出配置されていることを特徴とする。
即ち、本考案に係る切手貼り具にあっては、上記水分補給部材として、使い易いスポイトが用いられている。上記スポイトは、加圧操作部を押圧操作するのみで、容易に上記ノズル部から水を吐き出して、その水をそのまま上記湿し部材の内部に吸蔵させることができる。
請求項６記載の考案にあっては、上記ケース部材の裏面側には、上記スポイトを押圧して内部の水を排出して湿し部材に水を供給しうる押さえ部材が回動可能に固定されていることを特徴とする。
従って、請求項６記載の考案にあっては、使用時には、上記ケース部材を把持した際に上記レバー状の押さえ部材を握持することにより、上記スポイトを押圧することにより内部の水を排出して湿し部材に水分を供給することが可能となる。
【考案の効果】
【００１１】
請求項１記載の本考案に係る切手貼り具は、複数枚の切手を保持しうる切手収納部を有すると共に、上記切手収納部から切手を一枚づつ送り出しうる切手送出部を有して、切手を封筒の切手貼付位置に供給配置しうるケース部材と、切手の裏面を湿らせるための湿し部材とが一体に備えられていることから、上記切手収納部に保持された複数枚の切手を一枚づつ順次上記切手送出部から封筒の切手貼付位置に供給配置させて切手を連続的に貼付できるという利便性がある。また、切手の裏面を湿らせるための湿し部材が上記ケース部材と一体に備えられていることから、別個に形成された湿し具を探す手間がなく、切手の裏面を迅速に湿らせて貼付することができる。
また、上記ケース部材は掌で把持しうる細長板状に形成され、上記切手収納部は上方が開放され手の親指を差し込み可能な幅の溝状に形成され、上記切手送出部として上記ケース部材の前側端面部に開口部が設けられていることから、上記ケース部材を掌で把持した状態で使用することができ、かつ、溝状に形成された上記切手収納部に指を挿入して切手を容易に押し出すことにより、上記開口部から切手を簡便に封筒の切手貼付位置に供給配置することができるので、操作が容易で使い勝手が頗る良好である。
【００１２】
請求項２記載の本考案に係る切手貼り具は、上記湿し部材には水分補給部材が付設されていることから、上記湿し具に含まれる水分が消費し尽くされた場合に、上記水分補給部材から上記湿し具に水分を迅速に補給することができるので、切手貼付作業の中断を回避することができる。
【００１３】
請求項３記載の本考案に係る切手貼り具は、上記切手送出口には一連の切手を一枚毎に分断しうる切断部材が配置されていることから、複数枚の切手が連続していても、それらを上記切断部材により一枚づつ容易に分断することができる。したがって、切手が連続している場合に切手の分断作業に手間取って切手貼付作業に手間取るという不具合を解消することができる。
【００１４】
請求項４記載の本考案に係る切手貼り具は、上記湿し部材はスポンジ状素材により薄板状に形成されていることから、十分な量の水分を上記湿し部材に容易に吸蔵することができる。
また、湿し部材は上記ケース部材の開口部が設けられた一端近傍の底面部に配置されていることから、上記湿し部材を封筒の切手貼付位置に接触させて封筒を水分で濡らしてから、上記開口部から送出された切手を封筒の水分で塗れた部位に置くことにより切手の裏面を即座に湿らせて切手の粘着性を回復させることができるので、即座に切手を封筒に貼付することができる。
【００１５】
請求項５記載の本考案に係る切手貼り具は、上記水分補給部材としてスポイトが用いられ、上記スポイトのノズル部が上記湿し部材の内部に差し込まれ、上記スポイトの加圧操作部が上記湿し部材の後方に露出配置されていることから、上記ケース部材を掌で把持した状態で、第２指又は第３指を上記スポイトの加圧操作部に当てて押圧操作を行うことによりスポイトに吸入された水分を容易にノズル部を介して湿し部材の内部に補給することができる。したがって、上記湿し部材に水分を補給する場合に、ケース部材を把持したまま作業できるという利便性がある。
【００１６】
請求項６記載の考案にあっては、使用時には、上記ケース部材を把持した際に上記押さえ部材を握持することにより、より容易に上記スポイトを押圧することにより内部の水を排出して湿し部材に水分を供給することが可能となる。
【考案を実施するための最良の形態】
【００１７】
以下、図面を用いて本考案の実施の形態について説明する。
本実施の形態に係る切手貼り具１１は、図１に示すように、複数枚の切手１４を保持しうる切手収納部１３を有すると共に、上記切手収納部１３から切手１４を一枚づつ送り出しうる切手送出部３２を有して、切手１４を封筒の切手貼付位置に供給配置しうるケース部材１２と、図２に示すように、切手１４の裏面を湿らせるための湿し部材２４とが一体に備えられ、上記ケース部材１２は、図６に示すように、掌で把持しうる細長板状に形成され、上記切手収納部１３は、図１及び図５に示すように、上方が開放され手の親指を差し込み可能な幅の溝状に形成され、上記切手送出部３２として、図１及び図４に示すように、上記ケース部材１２の前側端面部に開口部２０が設けられている。
【００１８】
また、図２に示すように、上記湿し部材２４には水分補給部材２５が付設されている。
また、図１に示すように、上記切手送出部３２には連続して設けられた切手１４を一枚毎に分断しうる切断部材２１が配置されている。
【００１９】
また、図２に示すように、上記湿し部材２４はスポンジ状素材により薄板状に形成され、上記ケース部材１２の開口部２０が設けられた一端近傍の底面部２３に配置されている。
【００２０】
また、図２に示すように、上記水分補給部材２５としてスポイト２６が用いられ、上記スポイト２６のノズル部２８が上記湿し部材２４の内部に差し込まれ、上記スポイト２６の加圧操作部２７が上記湿し部材２４の後方に露出配置されている。
【実施例１】
【００２１】
図１は本考案の実施例に係る切手貼り具１１を示したものである。
上記切手貼り具１１は、図１に示すように、プラスチック製のケース部材１２を有し、図６に示すように、上記ケース部材１２は掌で把持しうる細長板状に形成されている。
【００２２】
上記ケース部材１２には、図１に示すように、複数枚の切手を保持しうる切手収納部１３が形成されている。
上記切手収納部１３は、一列帯状に連続した複数枚の切手１４を収納しうるように平面が細長い長方形状に形成されている。
また、上記切手収納部１３は上方が開放された溝状に形成され、上記開放部１５は手の親指を差し込み可能な幅を有している。
また、上記切手収納部１３の幅方向の両端には、図５に示すように、夫々上記切手１４の両側縁部を係合しうる横溝部１６，３１が形成されている。
【００２３】
また、図３に示すように、上記ケース部材１２の後端面１７には横長の切手挿入口１８が形成され、上記ケース部材１２の前端面１９には切手送出部３２が設けられ、上記切手送出部３２には、図１及び図４に示すように、切手１４が脱出可能な横長の開口部２０が形成されている。
【００２４】
図４に示すように、上記ケース部材１２の前端面１９は側面先細状に形成され、上下方向の中央部が前方へ突出して側面略くの字状に形成されている。上記開口部２０は、その突出部３０に形成されている。
上記開口部２０には、連続した切手１４を一枚毎に分断しうる切断部材２１が上縁部に沿って幅方向に設けられている。
上記切断部材２１は薄い金属板により形成され、幅方向に沿って鋸刃状部２２が設けられている。
【００２５】
上記ケース部材１２の底面部２３には、図２及び図４に示すように、前端部に湿し部材２４が配置されている。上記湿し部材２４は吸水可能なスポンジ状素材により薄板状に形成されている。
上記湿し部材２４は片面が上記ケース部材１２の底面部２３に貼着されて固定されている。
【００２６】
上記ケース部材１２の底面部２３には、図２及び図４に示すように、水分補給部材２５も配置されている。
上記水分補給部材２５としてはプラスチック素材により形成されたスポイト２６が使用されている。
上記スポイト２６は、内部に水を貯蔵可能な中空の加圧操作部２７が、上記湿し部材２４の後方に配置され、ノズル部２８が上記湿し部材２４の内部に抜き差し可能に差し込まれている。
従って、上記スポイト２６内に水が無くなった場合には、スポイト２６を湿し部材２４から抜き取り、加圧操作部２７を指で押圧してノズル部２８を介して水を吸入して使用する。
このスポイト２６は、上記ケース部材１２の底面部２３に幅方向に沿って設けられたスポイト押え２９により保持されている。
【００２７】
以下、上記実施例の作用について説明する。
まず、切手貼付作業を行う前に、上記ケース部材１２に設けられた上記切手収納部１３に、上記切手挿入口１８から、一列に連続した複数枚の切手１４を挿入して保持しておく。
なお、一枚毎に分離した複数枚の切手１４を収納しても勿論構わない。
上記切手１４は幅方向の両側縁部を上記横溝部１６，３１に係合させて上記開放部１５から脱出しないようにする。
また、上記スポイト２６の加圧操作部２７に水を貯蔵し、上記湿し部材２４にも水を吸蔵させておく。
【００２８】
切手貼付作業は以下の手順で行うことができる。
まず、図６に示すように、上記ケース部材１２を掌で握持すると共に、上記ケース部材１２の上面に形成された上記開放部１５から親指を差し入れて、上記切手収納部１３に保管されている切手１４に指先を接触させる。
指先で切手１４を前方へ押すことにより、切手１４を滑らせて前方へ移動させ、上記開口部２０から切手１４を一枚分だけ脱出させる。
【００２９】
上記開口部２０から脱出させた上記切手１４は上記切断部材２１により切り離すことができる。したがって、切手を手で切り離す煩雑がない。
【００３０】
また、上記ケース部材１２の前端底面部２３に取り付けられた上記湿し部材２４を封筒（図示せず）の切手貼付位置に接触させて、軽く押すことにより水を滲み出させて封筒を濡らすことができる。
したがって、切手１４の裏面をわざわざ濡らす手間を省くことができる。
【００３１】
切り離した上記切手１４を封筒の切手貼付位置に置いて、上から軽く押さえることにより切手１４の裏面が封筒に付着している水により濡れて粘着性を回復するので、切手１４はそのまま封筒に貼着される。
【００３２】
以後、上記の手順で作業を繰り返せば、連続的に複数枚の切手１４を封筒に貼ることができる。
したがって、多数の切手１４を貼る作業を、迅速化かつ簡便化することができる。
【００３３】
上記の切手貼付作業中に、上記湿し部材２４に含まれる水分は次第に減少してくる。その場合は、上記水分補給部材２５である上記スポイト２６の加圧操作部２７を指で押すことにより、上記ノズル部２８から水を吐き出して上記湿し部材２４に水を補給することができる。
したがって、水分の補給作業が容易で、上記湿し部材２４の水切れによる切手貼付作業の中断を回避することができる。
【００３４】
図７〜図１０は本考案の第２の実施例を示す。
図７〜図１０に示す切手貼り具３３にあっては、上記ケース部材１２の裏面側には、上記スポイト２６を押圧して内部の水を排出して湿し部材２４に水を供給しうるレバー形状の押さえ部材３４が回動可能に固定されている。
この押さえ部材３４は、図７及び図１０に示すように、側面Ｊ字状に形成された薄いプラスチック製の平板材からなり、上記ケース部材１２の裏面側に固定された短寸の固定部３５と、この固定部３５から折曲形成された長寸の押さえ部３６とにより構成されている。
【００３５】
従って、使用時には、押さえ部３６を弾性を以った状態でスポイト２６を上記ケース部材１２に対して押圧することができるように構成されている。また、押圧時には、上記押さえ部３６の基端部側には両側に切り欠き部４２が設けられ、押圧時に、上記スポイト２６をケース部材１２に固定しているスポイト押さえ４１を回避しうるように形成されている。
従って、本実施例に係る切手貼り具３３を使用する場合には、使用者は上記押さえ部材３４の押さえ部３４を把持して握持することにより、上記スポイト２６を押さえ部２６により押圧して、スポイト２６内の水湿し部材２４に補給することができる。
【００３６】
図１１〜図１３は本考案の第３の実施例を示す。
本実施例に係る切手貼り具３７にあっては、前記実施例と同様に、レバー形状の押さえ部材３８によりスポイト２６を押圧するようになっているが、本実施例においては、スポイト２６が上記押さえ部材３８の裏面側に固定され、押さえ部材３８が握持された場合には、上記ケース部材１２に押し付けられるように構成されている。
上記押さえ部材３８は、平面板状の部材からなり、基端両側部にはヒンジ部３９，３９が突設され、ピンにより回動可能にケース部材１２に固定されている。また、押さえ部３６の裏面先端部側には、ケース部材１２との間にバネ材４０が配置固定されている。
【００３７】
従って、本実施例に係る切手貼り具３７を使用する場合にあっては、上記第２実施例の場合と同様に、使用者はケース部材１２を、押さえ部３６と共に握持する。この場合、押さえ部３６の裏面先端部側に固定された7スポイト２６がケース部材１２に押圧されて内部の水は湿し部材２４に供給される。
また、上記バネ材４０が設けられていることから、押さえ部３６はバネ材４０の付勢力により上記ヒンジ部３９，３９を中心に回動して初期位置に復帰する。
【００３８】
なお、上記第２及び第３実施例において、上記押さえ部３６の断面形状をコ字状に形成して、両側部を折り返し部を形成することもできる。このように形成した場合には、剛性の大きな押さえ部材を形成することができる。
【産業上の利用可能性】
【００３９】
本考案は切手を貼るための用具に適用可能である。
【図面の簡単な説明】
【００４０】
【図１】本考案の実施例に係る切手貼り具の平面図である。
【図２】本考案の実施例に係る切手貼り具の底面図である。
【図３】本考案の実施例に係る切手貼り具の後方側面図である。
【図４】図１のＡ−Ａ線断面図である。
【図５】図１のＢ−Ｂ線断面図である。
【図６】本考案の実施例に係る切手貼り具の使用状態を示す斜視図である。
【図７】本考案の第２実施例に係る切手貼り具の側面図である。
【図８】本考案の第２実施例に係る切手貼り具の側面図である。
【図９】本考案の第２実施例に係る切手貼り具の平面図である。
【図１０】本考案の第２実施例に係る切手貼り具の正面図である。
【図１１】本考案の第３実施例に係る切手貼り具に使用される押さえ部材の斜視図である。
【図１２】本考案の第３実施例に係る切手貼り具の平面図である。
【図１３】本考案の第３実施例に係る切手貼り具に使用される押さえ部材の分解斜視図である。
【符号の説明】
【００４１】
１１  切手貼り具
１２  ケース部材
１３  切手収納部
１４  切手
１５  開放部
１６  横溝部
１７  後端面
１８  切手挿入口
１９  前端面
２０  開口部
２１  切断部材
２２  鋸刃状部
２３  底面部
２４  湿し部材
２５  水分補給部材
２６  スポイト
２７  加圧操作部
２８  ノズル部
２９  スポイト押え
３０  突出部
３１  横溝部
３２  切手送出部
３３  切手貼り具
３４  押さえ部材
３５  固定部
３６  押さえ部
３７  切手貼り具
３８  押さえ部材
３９  ヒンジ部
４０  バネ材
４１  スポイト押さえ
４２  押さえ部
【図１】
0003123407.tif 000003
【図２】
0003123407.tif 000004
【図３】
0003123407.tif 000005
【図４】
0003123407.tif 000006
【図５】
0003123407.tif 000007
【図６】
0003123407.tif 000008
【図７】
0003123407.tif 000009
【図８】
0003123407.tif 000010
【図９】
0003123407.tif 000011
【図１０】
0003123407.tif 000012
【図１１】
0003123407.tif 000013
【図１２】
0003123407.tif 000014
【図１３】
0003123407.tif 000015